(57)【要約】【課題】同一の成形型で２種類の浴槽を製造できる製造方法を提供する。【解決手段】洗い場側を除く３辺に浴槽上面１ｃから連続した壁パネル載置面１ｆおよび水切片１ｇを有する浴槽と、壁パネル載置面１ｆおよび水切片１ｇを有さない浴槽とを、同一の成形型１０内で、載置面遮蔽部１１ａおよび水切片遮蔽部１１ｂを有さない入れ子１１と、載置面遮蔽部１１ａおよび水切片遮蔽部１１ｂを有する入れ子１１の入れ替えにより作り分けることができる。【選択図】図６
2007203639.tif 000002
【特許請求の範囲】
【請求項１】
洗い場側を除く３辺に浴槽上面から連続した壁パネル載置面を有する浴槽と、該壁パネル載置面を有さない浴槽とを、同一成形型内で入れ子の入れ替えにより作り分けることを特徴とする浴槽の製造方法。
【請求項２】
洗い場側を除く３辺に浴槽上面から連続した壁パネル載置面を有する浴槽を製造し、必要に応じ前記壁パネル載置面を有する壁パネル載置部を切断して、該壁パネル載置面を有さない浴槽を製造することを特徴とする浴槽の製造方法。
【請求項３】
洗い場側を除く３辺に浴槽上面から連続した壁パネル載置面を有する浴槽において、前記壁パネル載置面は前記浴槽上面と同一か下がった位置に形成され、該壁パネル載置面を有する壁パネル載置部を浴槽上面から切断できるように構成されていることを特徴とする浴槽。
【発明の詳細な説明】
【技術分野】
【０００１】
本発明は、浴槽と、浴槽を製造する製造方法に関するものである。
【背景技術】
【０００２】
従来、特許文献１に開示されているように、浴槽のフランジ部に溝状の係合部を設けて、この係合部内に壁パネルの下端を挟持させるように構成した浴槽が存在する。
【特許文献１】実開平１−１１９４６８号公報
【発明の開示】
【発明が解決しようとする課題】
【０００３】
特許文献１に開示されている構造は、浴槽の上面側に形成された係合部に壁パネルを立設させる所謂ハーフタイプの浴室ユニット用の浴槽であるが、浴槽パン上に浴槽が載置される所謂二重パンタイプの浴室ユニットにおいては、浴槽パンから壁パネルが立ち上げられるため、浴槽には係合部が不要であり、二重パンタイプの浴室ユニット用に別途係合部の存在しない浴槽を製造する必要があり、係合部を有する浴槽と、係合部を有さない浴槽の２種類を製作せねばならないために、それぞれの成形型が必要となり、製造コストが増大してしまうという問題点があった。
【課題を解決するための手段】
【０００４】
本発明は上記従来の問題点に鑑み案出したものであって、成形型は１種類のものを用意して、１種類の成形型により２種類の浴槽を製造できる浴槽の製造方法を提供せんとするものであり、その請求項１は、洗い場側を除く３辺に浴槽上面から連続した壁パネル載置面を有する浴槽と、該壁パネル載置面を有さない浴槽とを、同一成形型内で入れ子の入れ替えにより作り分けることである。
【０００５】
また、請求項２は、洗い場側を除く３辺に浴槽上面から連続した壁パネル載置面を有する浴槽を製造し、必要に応じ前記壁パネル載置面を有する壁パネル載置部を切断して、該壁パネル載置面を有さない浴槽を製造することである。
【０００６】
また、浴槽は、洗い場側を除く３辺に浴槽上面から連続した壁パネル載置面を有する浴槽において、前記壁パネル載置面は前記浴槽上面と同一か下がった位置に形成され、該壁パネル載置面を有する壁パネル載置部を浴槽上面から切断できるように構成されていることである。
【発明の効果】
【０００７】
本発明の浴槽の製造方法は、洗い場側を除く３辺に浴槽上面から連続した壁パネル載置面を有する浴槽と、該壁パネル載置面を有さない浴槽とを、同一成形型内で入れ子の入れ替えにより作り分けることとしたため、１種類の成形型を用意して、この成形型内で入れ子の入れ替えにより、壁パネル載置面を有する浴槽と、有さない浴槽を良好に作り分けることができ、成形型は１種類であるため、製造コストを低減させることができるものとなる。
【０００８】
また、洗い場側を除く３辺に浴槽上面から連続した壁パネル載置面を有する浴槽を製造し、必要に応じ前記壁パネル載置面を有する壁パネル載置部を切断して該壁パネル載置面を有さない浴槽を製造することとしたため、１種類の成形型内で壁パネル載置面を有する浴槽を製造しておき、この浴槽を、現場に応じて浴槽載置部を切断することで、壁パネル載置面を有さない浴槽とすることができ、浴槽は１種類を用意しておけば良いため、在庫数を低減させることができるものとなる。
【０００９】
また、洗い場側を除く３辺に浴槽上面から連続した壁パネル載置面を有する浴槽において、前記壁パネル載置面は前記浴槽上面と同一か下がった位置に形成され、該壁パネル載置面を有する壁パネル載置部を浴槽上面から切断できるように構成されていることにより、壁パネル載置面を有さない浴槽が必要な場合には、壁パネル載置部を切断して、容易かつ良好に壁パネル載置面を有さない浴槽に変更させることができるものとなる。
【実施例】
【００１０】
以下、本発明の実施例を図面に基づいて説明する。
図１は、浴槽の平面構成図であり、図２は、図１のＡ−Ａ線断面構成図である。また図３は、図２における要部の拡大構成図である。
【００１１】
図において、浴槽１は、排水口Ｈを有する底面１ａの外周から一体状に上方へ立ち上げて立上面１ｂが形成されており、立上面１ｂの上端で外側へ略水平に延びて上面１ｃが形成され、この上面１ｃの先端は曲面状の曲面１ｄに形成されて、この曲面１ｄから垂下状に垂れ下り片１ｅが一体形成されており、また曲面１ｄの下端側の上面１ｃよりも下がった位置から外側へ略水平状に壁パネル載置面１ｆが一体形成されて、壁パネル載置面１ｆの先端で上方へ立ち上げて水切片１ｇが一体形成されたものとなっている。なお、壁パネル載置面１ｆと水切片１ｇを合わせて壁パネル載置部１ｊという。
【００１２】
このような浴槽１は、壁パネル載置面１ｆ上に壁パネル２を立設させて、図４に示すようなハーフタイプの浴室ユニットを構築することができるものである。
図４において、浴槽１の図示右側には、洗い場３ａを形成する洗い場パン３が配置され、洗い場パン３と浴槽１間にはエプロン４が立設されるものである。また、洗い場３ａの外周にも壁パネル２が立設されて、浴室ユニットの側壁面が壁パネル２で構成されるものである。
【００１３】
このように図１および図２に示す浴槽は、ハーフタイプの浴室ユニット用に予め成形型で製造されたものであるが、図５に示すような、防水パンの上に浴槽が設置される所謂二重パンタイプの浴室ユニットに設置する場合には、図３の浴槽の上面１ｃと壁パネル載置部１ｊとの境界線Ｐに沿って切断して使用することができるものである。
即ち、浴槽の曲面１ｄの下端に切断工具を当て、垂れ下り片１ｅに沿って切断工具を下方側へ移動させて、良好に境界線Ｐで切断して壁パネル載置部１ｊを除去することができ、壁パネル載置部１ｊを除去した浴槽１を、図５のように、洗い場パン３から連続する浴槽パン５上に、高さ調整ボルト６を介在させて載置させて設置することができ、設置状態では、浴槽１の垂れ下り片１ｅに当接状に壁パネル２が立設され、この壁パネル２は浴槽パン５に形成されている水切片５ｂの内側の壁載置面５ａ上に載置されるものである。
【００１４】
図５のように、壁パネル２を立設させた状態では、境界線Ｐで切断した切断小口が壁パネル２に当接して隠蔽されるため、切断小口が露出することはなく、見栄え性の良好な設置状態が得られるものである。
なお、境界線Ｐで切断しても、垂れ下り片１ｅが上面１ｃと一体状に残るため、切断後の浴槽の強度が安定したものとなり、また、切断面が露出しないため意匠性を損なうことなく、上面１ｃが直接壁パネル２に当接することがなく、壁パネル２が傷付かないものとなる。
【００１５】
このように予め１種類の成形型により、壁パネル載置部１ｊを一体に有する１種類の浴槽１を製造しておき、この浴槽１の壁パネル載置部１ｊを必要に応じ境界線Ｐで切断して、図４のようなハーフタイプの浴室ユニットにも、また図５のような二重パンタイプの浴室ユニットにも良好に設置することができるものであり、１種類の浴槽を製造しておけば良いため、品番も少なく、在庫を低減させて浴槽を製造できるものとなる。
【００１６】
なお、このように必要に応じて境界線Ｐで切断して、壁パネル載置部１ｊが存在しない浴槽を製造する製造方法とは別に、図６に概略断面図で示すような成形型１０を用いて、壁パネル載置部１ｊを有さない浴槽と、壁パネル載置部１ｊを有する浴槽とを良好に作り分けることができるものである。
即ち、図６の成形型１０は、下型１０ａと上型１０ｂ間に浴槽成形材料を充填させる空間が形成されており、この下型１０ａと上型１０ｂ間の空間内で、浴槽１の底面１ａと立上面１ｂと上面１ｃと曲面１ｄと垂れ下り片１ｅと壁パネル載置面１ｆと水切片１ｇを一体状に成形できるように構成され、図６の図示左側に嵌め込まれている入れ子１１を下型１０ａと上型１０ｂ間に入れた場合には、壁パネル載置面１ｆおよび水切片１ｇが一体状に成形される。
一方、図６における図示右側に嵌め込まれた入れ子１１を下型１０ａと上型１０ｂ間に入れた場合には、成形される浴槽には壁パネル載置面１ｆおよび水切片１ｇは形成されないこととなる。即ち、図示右側に嵌め込まれた入れ子１１は、上面側に壁パネル載置面遮蔽部１１ａと水切片遮蔽部１１ｂがＬ字状に一体または別体で形成されているものである。
【００１７】
このように左側に示す入れ子１１を嵌め込んだ時には、壁パネル載置部１ｊを有する浴槽を成形することができ、また、図示右側の入れ子１１に入れ替えることで、壁パネル載置部１ｊを有さない浴槽１を成形することができるものとなる。
このように１種類の成形型１０を用意し、入れ子１１を２種類用意して、入れ子１１のみの入れ替えで、同一の成形型１０内で２種類の壁パネル載置部１ｊを有する浴槽と有さない浴槽を作り分けることができるものであり、成形型１０は１種類であるため製造コストを低減させることができるものとなる。
【００１８】
なお、図７および図８には、壁パネル載置部１ｊの周辺を変形した浴槽の要部断面図を示している。
図７では、浴槽上面１ｃから略水平に連続して同一高さで壁パネル載置面１ｆが一体形成されており、壁パネル載置面１ｆの先端で水切片１ｇが一体状に立ち上げられたものであり、このような構成においても、上面１ｃと壁パネル載置面１ｆの境界線Ｐで、垂れ下り片１ｅの外側に沿って切断工具を沿わせて良好に切断して、壁パネル載置面１ｆおよび水切片１ｇを除去した浴槽１を容易に製造できるものとなる。
【００１９】
また、図８では、浴槽の上面１ｃの先端で垂れ下り片１ｅとは逆向きに上方側へ立ち上げて起立片１ｉを一体形成させ、この起立片１ｉの上端に外側へ略水平に壁パネル載置面１ｆを一体形成させ、壁パネル載置面１ｆの先端で水切片１ｇを立ち上げて形成したものであり、壁パネル載置面１ｆと水切片１ｇと起立片１ｉを合わせて壁パネル載置部１ｊという。
このような形状では、上面１ｃと起立片１ｉの境界線Ｐで切断し、壁パネル載置部１ｊ、即ち起立片１ｉ，壁パネル載置面１ｆ，水切片１ｇを除去して、図５に示すような二重パンタイプの浴室ユニットに設置することができるものである。
【図面の簡単な説明】
【００２０】
【図１】浴槽の平面構成図である。
【図２】図１のＡ−Ａ線断面構成図である。
【図３】図２の要部拡大構成図である。
【図４】図１および図２の浴槽をハーフタイプの浴室ユニットに用いた場合の概略構成図である。
【図５】浴槽の壁パネル載置部を切断除去して二重パンタイプの浴室ユニットに用いた場合の設置状態の概略構成図である。
【図６】入れ子を入れ替えることで２種類の浴槽を製造できる成形型の断面概略構成図である。
【図７】形状の異なる浴槽の要部拡大構成図である。
【図８】さらに形状の異なる浴槽の要部拡大構成図である。
【符号の説明】
【００２１】
１  浴槽
１ａ  底面
１ｂ  立上面
１ｃ  上面
１ｄ  曲面
１ｅ  垂れ下り片
１ｆ  壁パネル載置面
１ｇ  水切片
１ｉ  起立片壁
１ｊ  パネル載置部
２  壁パネル
３  洗い場パン
３ａ  洗い場
４  エプロン
５  浴槽パン
５ａ  壁載置面
５ｂ  水切片
１０  成形型
１０ａ  下型
１０ｂ  上型
１１  入れ子
１１ａ  壁パネル載置面遮蔽部
１１ｂ  水切片遮蔽部
Ｐ  境界線
【図１】
2007203639.tif 000003
【図２】
2007203639.tif 000004
【図３】
2007203639.tif 000005
【図４】
2007203639.tif 000006
【図５】
2007203639.tif 000007
【図６】
2007203639.tif 000008
【図７】
2007203639.tif 000009
【図８】
2007203639.tif 000010